(57)【要約】【課題】臨海部に設けた発電所の前面に位置する入り江などに設置された柔構造のカーテンウォールにおいて、支持部材に対して回動可能に懸吊され、海水に生じている波の力によって揺動する遮水板を常時監視する。【解決手段】カーテンウォールの支持部材に磁界発生手段が、複数枚の遮水板のそれぞれに前記磁界発生手段によって発生された磁界の電磁誘導により生じる起電力により識別情報を発信する識別情報送信手段が配備され、監視装置の受信手段が識別情報送信手段から発信された識別情報を受信すると、受信した識別情報を前記複数枚の遮水板の中の各遮水板に関連付けて記録し、当該記録手段に記録される識別情報受信の有無を所定時間ごとに各遮水板について判定するカーテンウォールの遮水板監視システム。【選択図】図１
2008038357.tif 000002
【特許請求の範囲】
【請求項１】
下端側が水底に固定され、当該下端から水中を通って上側方向に延びている上端側が水面より上側に位置している支持部材と、
前記支持部材の前記上端側に設置されている支持部と、
前記支持部に上端側が回動可能に懸吊され、下端側が前記水中にまで延びて、前記水中に生じる水の動きによって前記支持部を中心として揺動する複数枚の遮水板と、を有するカーテンウォールと、
前記支持部材の前記上端側の所定位置に設けられた磁界を発生する磁界発生手段と、
前記複数枚の遮水板の前記水面より上側にあたる所定位置にそれぞれ設けられていて、前記磁界発生手段によって発生された磁界の電磁誘導により生じる起電力により識別情報を発信する識別情報送信手段と、
前記識別情報送信手段から発信された前記識別情報により遮水板の動作を監視をする監視装置と、
を備えてなるカーテンウォールの遮水板監視システムであって、
前記監視装置は、識別情報送信手段から発信された識別情報を受信する受信手段と、受信した識別情報を前記複数枚の遮水板の中の各遮水板に関連付けて記録する記録手段と、前記記録手段に記録される識別情報受信の有無を所定時間ごとに各遮水板について判定する判定手段と、前記各手段を制御する制御手段と、
を有することを特徴とするカーテンウォールの遮水板監視システム。
【請求項２】
前記判定手段により所定時間内に識別情報が受信されていないと判定されたときに、警報を発生する警報発生手段を有することを特徴とする請求項１記載のカーテンウォールの遮水板監視システム。
【請求項３】
前記判定手段により所定時間内に識別情報が受信されていないと判定されたときに、所定時間に識別情報が受信されていない当該識別情報に関連する遮水板を表示する表示手段を含むことを特徴とする請求項２に記載のカーテンウォールの遮水板監視システム。
【請求項４】
前記識別情報送信手段は、電磁誘導型の無線ＩＣタグであることを特徴とする請求項１乃至３のいずれか一項記載のカーテンウォールの遮水板監視システム。
【発明の詳細な説明】
【技術分野】
【０００１】
本発明は、臨海地などに配置される火力発電所や原子力発電所で使用する冷却水を確保する、等の目的で、発電所の前面などに位置する入り江を囲うカーテンウォールに関し、特に、カーテンウォールを構成し、海水の波の動きに応じて揺動する遮水板を監視するシステムに関するものである。
【背景技術】
【０００２】
火力発電や原子力発電においては、高温高圧の蒸気流によりタービンを駆動して発電すると共に、タービン駆動に使用した蒸気を復水するために海水を冷却水として利用している。この冷却水として使用する海水は、発電プラント全体の熱効率を向上させるために低温のものが必要であり、また取水口への浮遊物の侵入防止を図るために清浄なものが必要とされている。また循環水ポンプを安定的に運転し、円滑な取水を図るために取水口への波浪による直接の影響を避ける必要もある。
【０００３】
このため従来から臨海地に設けた発電所の前面に位置する入り江をカーテンウォールで囲い、このカーテンウォールの海底側下部に開口を設け、この開口から比較的低温で清浄な海水を入り江内に取り入れ、一方で、カーテンウォールの上端を満潮時の海面より上に突出させ、くらげ等の浮遊物の入り江内への侵入防止と取水口への波浪の影響を抑える工夫が採用されている。
【０００４】
この従来のカーテンウォールは、ＰＣ（プレキャストコンクリート）板等の遮水板を鋼材及びコンクリートで海底に固定した剛構造のもので、直接受ける波浪に抗する必要から打設杭及び遮水板には堅固なものが要求され、その結果、建設に長期の工事日数を要し、建設コストも高いものとなっていた。
【０００５】
そこで、下端側を海底に設置し、上端側が海面上に延びて突出している支持部材を組み立て、複数の遮水板をそれぞれ当該支持部材に対して揺動可能に懸吊し、海水中に生じる波動により揺動可能なものとすることで波圧を小さくした構造、すなわち、前述した従来の剛構造に対して柔構造のカーテンウォールが提案されている（例えば、特許文献１参照）。
【特許文献１】特開２００５−１０５７２０号公報
【発明の開示】
【発明が解決しようとする課題】
【０００６】
上記特許文献１に記載の柔構造式のカーテンウォールによれば、遮水板に対する波力を大幅に低減できるので、従来のような波力を直接受ける堅固な固定式カーテンウォールよりも建設コストを低下することができる。
【０００７】
しかし、遮水板の上端側が回動可能に懸吊される支持部材のヒンジ部は、海水を含む強風に晒される海面上に設けられていることから、劣化して、遮水板がヒンジ部に対して回動しずらくなり、最終的には、遮水板が揺動しなくなることが起こりえる。このようになった場合には、遮水板は、従来の剛構造の場合と同じように、強い波圧を受けることになってしまう。
【０００８】
そこで、本発明は、特許文献１記載の発明に改良を加え、臨海部に設けた発電所の前面に位置する入り江などに設置された柔構造のカーテンウォールにおいて、支持部材に対して回動可能に懸吊されていて、海水に生じている波動によって揺動する遮水板が、揺動しずらくなった等の事態を簡単に把握し、遮水板が揺動しなくなってしまうことにより、遮水板が受ける波圧が大きくなる、等の事態が発生することを未然に防止できる監視システムを提供することを目的にしている。
【課題を解決するための手段】
【０００９】
前記目的を達成するために本発明が提案するカーテンウォールの遮水板監視システムは、下端側が水底に固定され、当該下端から水中を通って上側方向に延びている上端側が水面より上側に位置している支持部材と、前記支持部材の前記上端側に設置されている支持部と、前記支持部に上端側が回動可能に懸吊され、下端側が前記水中にまで延びて、前記水中に生じる水の動きによって前記支持部を中心として揺動する複数枚の遮水板と、を有するカーテンウォールと、前記支持部材の前記上端側の所定位置に設けられた磁界を発生する磁界発生手段と、前記複数枚の遮水板の前記水面より上側にあたる所定位置にそれぞれ設けられていて、前記磁界発生手段によって発生された磁界の電磁誘導により生じる起電力により識別情報を発信する識別情報送信手段と、前記識別情報送信手段から発信された前記識別情報により遮水板の動作を監視をする監視装置とを備えている。
【００１０】
そして、前記監視装置が、識別情報送信手段から発信された識別情報を受信する受信手段と、受信した識別情報を前記複数枚の遮水板の中の各遮水板に関連付けて記録する記録手段と、前記記録手段に記録される識別情報受信の有無を所定時間ごとに各遮水板について判定する判定手段と、前記各手段を制御する制御手段とを備えているものである。
【００１１】
本発明のカーテンウォールの遮水板監視システムによれば、前記のように、支持部材の上端側の所定位置に設けられた磁界を発生する磁界発生手段と、複数枚の遮水板のそれぞれにおける水面より上側にあたる所定位置（例えば、支持部材に設けられた磁界発生手段に対向する位置）にそれぞれ設けられていて、磁界発生手段によって発生された磁界の電磁誘導により生じる起電力により識別情報を発信する識別情報送信手段とを備えているため、遮水板が、水中に生じる水の動き、例えば、海水の波の力を受けて揺動しているときは相対運動により、前記識別情報送信手段が受ける磁界に変化が起こり、電磁誘導が生じる。そこで、この電磁誘導により生じた起電力により識別情報を送信することができる。そして監視装置がこの識別情報を受信する。
【００１２】
遮水板の上端側が回動可能に懸吊されているカーテンウォールの支持部材の支持部は、水面（海面）の上に位置していることから、海水を含む強風に晒さらされ、錆び付いたり、劣化して、遮水板が支持部に対して回動しずらくなることが起こりえるが、このような場合には、監視装置の判定手段があらかじめ定められている所定時間ごとに識別情報の受信の有無を判定したときに、所定時間の間に識別情報を前記識別情報送信手段から受け取れないようになる。各遮水板について
このような場合には、カーテンウォールの支持部材の支持部と、そこに懸吊されているカーテンウォールの上端側との間に錆びが発生している、等の不具合が生じていることが予想される。そこで、このように、あらかじめ定められている所定時間に識別情報を受信できなかったカーテンウォールの支持部材の支持部と、そこに懸吊されているカーテンウォールの上端側との間を点検することにより、支持部材に対して上端側が回動可能に懸吊されていて、海水に生じている波動によって揺動する遮水板が、揺動しずらくなった等の事態を簡単に把握し、遮水板が揺動しなくなってしまうことにより、遮水板が受ける波圧が大きくなる、等の事態が発生することを未然に防止することができる。
【００１３】
すなわち、支持部材に対して上端側が回動可能に懸吊されていて、海水に生じている波動によって揺動する遮水板が、水中に生じる水の動き、例えば、海水の波の力を受けて安定的に揺動しているかどうかを、常時監視することができる。
【００１４】
なお、支持部材の上端側の所定位置に設けられた磁界を発生する磁界発生手段と、複数枚の遮水板のそれぞれにおける水面より上側にあたる所定位置（例えば、支持部材に設けられた磁界発生手段に対向する位置）にそれぞれ設けられていて、磁界発生手段によって発生された磁界の電磁誘導により生じる起電力により識別情報を発信する識別情報送信手段とが備えられているため、前記の識別情報送信手段から発しする情報は、複数の遮水板のそれぞれについて、特有の識別情報、各遮水板を特定できる識別情報にすることができる。
【００１５】
そこで、監視装置の記録手段は、受信した識別情報を前記複数枚の遮水板の中の各遮水板に関連付けて記録することができ、判定手段は、各遮水板について、記録手段に記録される識別情報受信の有無を所定時間ごとに判定することができる。
【００１６】
これによって、複数枚の遮水板の中の各遮水板について、水中に生じる水の動き、例えば、海水の波の力を受けて安定的に揺動しているかどうかを、常時監視することができる。
【００１７】
なお、前記本発明のカーテンウォールの遮水板監視システムにおいて、判定手段により所定時間内に識別情報が受信されていないと判定されたときに、警報を発生する警報発生手段が配備されている構成にすることができる。
【００１８】
このようにすれば、あらかじめ定められている所定時間に識別情報を受信できなかったことを直ちに把握することができる。
【００１９】
更に、前記本発明のいずれのカーテンウォールの遮水板監視システムにおいても、  前記判定手段により所定時間内に識別情報が受信されていないと判定されたときに、所定時間に識別情報が受信されていない当該識別情報に関連する遮水板を表示する表示手段を更に備えている構成にすることができる。
【００２０】
前述したように、複数枚の遮水板の中の各遮水板について、水中に生じる水の動き、例えば、海水の波の力を受けて安定的に揺動しているかどうかを、常時監視できるので、判定手段により所定時間内に識別情報が受信されていないと判定されたときに、識別情報の発信が遅れていて、直ちに点検することが必要な遮水板を特定することができる。
【００２１】
また、前記識別情報送信手段としては、電磁誘導型の無線ＩＣタグを採用することができる。遮水板への取り付けが容易で、かつコンパクト化ができ、重量、サイズとも遮水板の揺動の障害にならないからである。
【発明の効果】
【００２２】
本発明によれば、臨海部などに設けた発電所の前面などに位置する入り江、等に設置された柔構造のカーテンウォールにおいて、支持部材に対して回動可能に上端側が懸吊されていて、海水に生じている水の動きによって揺動する複数枚の遮水板のそれぞれが、揺動しずらくなった等の事態を簡単に把握し、遮水板が揺動しなくなってしまうことにより、遮水板が受ける波圧が大きくなる、等の事態が発生することを未然に防止できる。
【発明を実施するための最良の形態】
【００２３】
以下、本発明の好ましい実施形態を図面を参照して説明する。
【００２４】
図１は本発明のカーテンウォールの遮水板監視システム１の概略構成の一例を説明するブロック構成図、図２はカーテンウォール２の概略断面図である。
【００２５】
図２に示すようにカーテンウォール２は、下端側が水底に固定され、当該下端から水中を通って上側方向に延びている上端側が水面３より上側に位置している支持部材６と、支持部材６の上端側に設置されている支持部であるヒンジ部材７と、ヒンジ部材７に上端側が回動可能に懸吊され、下端側が水中にまで延びて、水中に生じる水の動き、例えば、波によってヒンジ部材７を中心として揺動する複数枚の遮水板８とを備えている。
【００２６】
支持部材６は、図２図示のように、下端側が水底に埋設固定され、当該下端から水中を通って上側方向に延びている上端側が水面３より上側に位置するように互いに斜設されている鋼管杭からなる脚部１０、１０と、この脚部１０、１０の上端側をそれぞれ連結する連結部材１１とからなる。連結部材１１の下端には、ヒンジ部材７を下端部とするヒンジ取付具１２が取り付けられており、このヒンジ部材７に、下端側が水中にまで延びる複数枚の遮水板８の上端側がそれぞれ回動可能に懸吊されている。
【００２７】
例えば、ＰＣ（プレキャストコンクリート）板等からなる遮水板８は、図２図示のように、その下端が水底３から所定の間隙を有する位置になる大きさであり、水中に生じる水の動き、例えば、波によってヒンジ部材７を中心として、図２中に両方向矢印で示すように揺動する。
【００２８】
カーテンウォール２は、一般的に、臨海部に設置されている火力発電所や原子力発電所の前面にある入り江を囲むようにして設置されるが、遮水板８の下端が水底３と所定の間隙を有することより、臨海部における比較的低温の深層の水を入り江内に取り込むことができる。また、遮水板８の上端が水面５より上側方向に突出していることから、臨海部の水面に浮遊しているものや、比較的温度の高い浅層の水が入り江内へ侵入することを抑え、また波浪の入り江内への直接の影響をも抑えている。
【００２９】
支持部材２の上端側に位置する連結部材１１には取付部材１７を介して磁界発生手段である強磁性体１６が配備されている。
【００３０】
複数枚の遮水板８の各遮水板８における水面５より上側にあたる所定位置には前記の強磁性体１６によって発生された磁界の電磁誘導により生じる起電力により識別情報を発信する識別情報送信手段である電磁誘導型の無線ＩＣタグ１５がそれぞれ配備されている。
【００３１】
強磁性体１６は、波の力により常に揺動している遮水板８に取り付けらている電磁誘導型の無線ＩＣタグ１５（以下、単に「無線ＩＣタグ１５」ということがある）に、電磁誘導による起電圧を生じさせることができるものであれば、永久磁石、電磁石のいずれでもよい。遮水板８が揺動している限り、磁界の変化により電磁誘導が生じ、そして誘導電流を基にして無線ＩＣタグ１５からメモリに記録されている識別情報を送信できるようになっている。
【００３２】
前記の識別情報は、無線ＩＣタグ１５が取り付けられている遮水板８を特定する情報、例えば、予め定められている遮水板８の識別番号等とすることができる。
【００３３】
次に、本発明のカーテンウォールの遮水板監視システム１の概要の一例を図１を参照して説明する。
【００３４】
カーテンウォールの遮水板監視システム１は、水中に生じる水の動き、すなわち、打ち寄せる波の力によって揺動する各遮水板８に取り付けた電磁誘導型の無線ＩＣタグ１５と、この無線ＩＣタグ１５に磁界を及ぼし電磁誘導を起こさせるための強磁性体１６と、無線ＩＣタグ１５から送信される識別情報を受信して各遮水板８の揺動を監視する監視装置２０とを備えている。なお、電磁誘導型の無線ＩＣタグ１５と、この無線ＩＣタグ１５に磁界を及ぼし電磁誘導を起こさせるための強磁性体１６との組み合わせは、複数枚の遮水板８の各遮水板８に対してそれぞれ配備され、複数枚の遮水板８のそれぞれについて揺動状態が監視されている。
【００３５】
遮水板８が波の力の影響を受けて揺動することにより、各遮水板８に取り付けられた無線ＩＣタグ１５が強磁性体１６から受ける磁界に変動が生じる。無線ＩＣタグ１５は、かかる磁界の変動によって、内蔵しているコイルに電磁誘導による起電力を生じさせ、この起電力による電流によって不図示のメモリに記録されている識別情報を、制御装置、送信装置によって送信する構成にすることができる。
【００３６】
監視装置２０は、図１図示の実施形態では、識別情報送信手段である電磁誘導型の無線ＩＣタグ１５から送信される識別情報を受信する受信手段２１と、受信した識別情報を複数枚の遮水板の中の各遮水板８に関連付けて記録する記録手段２２と、記録手段２２に記録される識別情報受信の有無を所定時間ごとに各遮水板８について判定する判定手段２５と、判定手段２５が所定時間内に識別情報を受信しない場合、警報を発する警報発生手段２６、また、判定手段２５が所定時間内に識別情報を受信しない場合、その識別情報に関連付けられている遮水板の識別番号を表示する、液晶ディスプレイ、当の表示手段と、前記各手段を制御する制御手段２３とを有している。
【００３７】
受信手段２１はアンテナとその付属機器、記録手段は２２はハードディスク等の記録装置、制御手段２３及び判定手段２５はＣＰＵ、ＲＡＭ等の装置、警報発生手段２６は音声による警報を発生するスピーカ、等、表示手段は遮水板８の識別番号を表示するディスプレイ又は表示ランプ、等の装置とすることができる。
【００３８】
このような監視装置２０の各機能は、汎用機であるパーソナルコンピュータやワークステーション、外部記憶装置、ディスプレイ、スピーカ、その他の周辺機器を所定のコンピュータプログラムで作動させることによって達成される。
【００３９】
次に、本発明のカーテンウォールの遮水板監視システム１の動作の一例についてその概略を説明する。
【００４０】
臨海部に設けられている火力発電所や原子力発電所の前面にある入り江を囲むようにして配備されているカーテンウォール２は、支持部材６のヒンジ部材７に、下端側が水中にまで延びている複数枚の遮水板８の上端側がそれぞれヒンジ部材７に対して回動可能に懸吊されている。これによって、入り江内に、直接、波浪の影響が及ばないようにしている。そして、各遮水板８の下端は水底３との間に所定の間隙を有しているので、深層の比較的低温の海水のみが入り江内に浸入するようになっている。また遮水板８は、前記のように、その上端側がヒンジ部材７に対して回動可能に懸吊されているので、海水に生じている波により揺動し、波力を分散させている。
【００４１】
遮水板８が波の力により揺動しているため、遮水板８の上端側に取り付けられている電磁誘導型の無線ＩＣタグ１５は、支持部材６側に固定されている強磁性体１６から発生される磁界変動の影響を受け、これによって前述したように電磁誘導を生起させ、これによる起電力を基にして、無線ＩＣタグ１５のメモリに記録されている識別情報を送信する。
【００４２】
こうして送信された識別情報を受信手段２１で受信した監視装置２０では、制御手段２３により識別情報が記録手段２２に予め定められている遮水板の識別番号に関連付けて記録される。
【００４３】
そして判定手段２５が、所定時間ごとに各遮水板８ごとの識別情報の受信の有無を判定する。
【００４４】
識別情報の受信がない場合、判定手段２５は警報発生手段２６に、警報発生指令の信号を送信する。また、判定手段２５はその識別情報に対応する遮水板８の識別番号を含む情報をディスプレイ等の表示手段に表示させる。
【００４５】
このように、遮水板８の上端側が回動可能に懸吊されているヒンジ部材７が錆び付く、あるいはヒンジ部材７が劣化するなどの不具合により、遮水板８が揺動しなくなった場合には、識別情報の受信の有無、あるいは受信する時間間隔の変動により、どの遮水板８が揺動しずらくなっているか、また、揺動しなくなっているかを監視装置２０により監視できる。したがって、視認にくい夜間でも現場の特定が容易となり、対応が迅速に行える。また、揺動しずらくなっている遮水板８については直ちに点検を行って、遮水板８が揺動しなくなることを未然に防止することができる。
【００４６】
なお、通常の電磁誘導型の無線ＩＣタグは、リーダ／ライタから送信された電波により誘導電流を生じさせ、この電流を使ってメモリに記録された情報をリーダ／ライタに送信するものであるが、以上の実施形態では無線ＩＣタグに対向する位置に強磁性体１６を設け、無線ＩＣタグ１５と強磁性体１６との相対位置の変動による磁界の変化によって誘導電流を生じさせ、無線ＩＣタグ１５にはリーダ／ライタからの電波送信による電磁誘導は行わないようにしている。
【００４７】
以上、添付図面を参照して本発明の好ましい実施形態を説明したが、本発明はかかる実施形態に限られるものではなく、特許請求の範囲の記載から把握される技術的範囲において種々の形態に変更可能である。
【００４８】
例えば、支持部材６の上端側の所定位置に設けられた磁界を発生する磁界発生手段と、複数枚の遮水板８の水面５より上側にあたる所定位置にそれぞれ設けられていて、磁界発生手段によって発生された磁界の電磁誘導により生じる起電力により識別情報を発信する識別情報送信手段とを、前記の実施形態では、強磁性体１６、電磁誘導型の無線ＩＣタグ１５としたが、これに限られずに、同様の機能を発揮しえる種々の形態を採用することが可能である。
【図面の簡単な説明】
【００４９】
【図１】本発明のカーテンウォールの遮水板監視システムの概略構成の一例を説明するブロック構成図。
【図２】本発明のカーテンウォールの遮水板監視システムに採用されるカーテンウォールの概略の一例を説明する断面図。
【符号の説明】
【００５０】
１  カーテンウォールの遮水板監視システム
２  カーテンウォール
６  支持部材
７  ヒンジ部材
８  遮水板
１５  電磁誘導型の無線ＩＣタグ
１６  強磁性体
２０  監視装置
２１  受信手段
２２  記録手段
２３  制御手段
２５  判定手段
２６  警報発生手段
【図１】
2008038357.tif 000003
【図２】
2008038357.tif 000004